(57)【要約】【課題】コネクタパネルの裏側の配線や余長処理の作業性が良く、作業時に光ファイバコードに負担をかけることがないスプライスユニットを提供する。【解決手段】多数のコネクタ１２を設けたコネクタパネル１３を箱状のユニット本体２の前面側左右両端にヒンジ部１１を介して両開閉式に蝶着する。コネクタパネル１３の裏側のコネクタ接続口へ光ファイバコードを接続する場合はコネクタパネル１３のラッチ１６のロックを解除し、手前に引いてコネクタパネル１３を開放した状態で行う。また、コネクタパネル１３の下端には支持部が前方に張設され、コネクタパネル１３の前面側のコネクタ接続口に接続した光ファイバコードを支持することができる。【選択図】        図１
2004219844.tif 000002
【特許請求の範囲】
【請求項１】
内部に光ファイバコードの余長を収納可能に箱状に形成したユニット本体を左右両側面に設けたマウント部によって光配線盤やラック等にマウント可能にし、前記ユニット本体の前面に光ファイバコード同士を接続するための多数のコネクタが設けられたコネクタパネルを有して成るスプライスユニットにおいて、前記コネクタパネルを両開閉式に前記ユニット本体の前面側左右両端に開閉自在に蝶着したことを特徴とするスプライスユニット。
【請求項２】
前記コネクタパネルの下端を前方に張設して光ファイバコードを支持するための支持部を形成したことを特徴とする請求項１に記載のスプライスユニット。
【発明の詳細な説明】
【０００１】
【発明の属する技術分野】
本発明は、光配線盤やラック等にマウントして取り付けられ、光ファイバコードの接続部と余長を収納するためのスプライスユニットに関する。
【０００２】
【従来の技術】
従来のスプライスユニットは、矩形状の底板の左右両端縁に左右側板を立設し、前面、背面、上面を開放した箱状にユニット本体を形成し、左右側板に設けたマウント部によってラックにマウント可能にしている。ユニット本体の前面は光ファイバコード同士を接続するためのコネクタを設けたコネクタパネルがローレットネジにより着脱可能にされ、コネクタパネルの裏面側のコネクタ接続口に光ファイバコードを接続する場合はコネクタパネルをユニット本体から取り外して接続するようになっている（例えば、特許文献１参照。）。
【０００３】
【特許文献１】
特開平６−２９６７５号公報（第１図）
【０００４】
【発明が解決しようとする課題】
このため、特許文献１のスプライスユニットは光ファイバコードを配線するたびにコネクタパネルを取り外さなければならないので作業性が悪く、取り外したコネクタパネルを載置するスペースとそこまでの光ファイバコードの余長を必要とし、コネクタパネルを取り外した際に光ファイバコードの自重によって負担がかかるので光ファイバコードを破損させる虞があった。
【０００５】
そこで上記問題点に鑑み、本発明の目的は、コネクタパネルの裏側の配線や余長処理の作業性が良く、作業時に光ファイバコードに負担をかけることがないスプライスユニットを提供することである。
【０００６】
【課題を解決するための手段】
上記目的を達成するために、請求項１に記載の発明によれば、内部に光ファイバコードの余長を収納可能に箱状に形成したユニット本体を左右両側面に設けたマウント部によって光配線盤やラック等にマウント可能にし、ユニット本体の前面に光ファイバコード同士を接続するための多数のコネクタが設けられたコネクタパネルを有して成るスプライスユニットにおいて、コネクタパネルを両開閉式にユニット本体の前面側左右両端に開閉自在に蝶着したことを特徴とする。
【０００７】
請求項２に記載の発明によれば、請求項１に記載のスプライスユニットにおいて、コネクタパネルの下端を前方に張設して光ファイバコードを支持するための支持部を形成したことを特徴とする。
【０００８】
【発明の実施の形態】
請求項１に記載の発明によれば、内部に光ファイバコードの余長を収納可能に箱状に形成したユニット本体を左右両側面に設けたマウント部によって光配線盤やラック等にマウント可能にし、ユニット本体の前面に光ファイバコード同士を接続するための多数のコネクタが設けられたコネクタパネルを有して成るスプライスユニットにおいて、コネクタパネルを両開閉式にユニット本体の前面側左右両端に開閉自在に蝶着したことにより、コネクタパネルの裏側の配線や余長処理の作業性が良く、作業時に光ファイバコードに負担をかけることがない。
【０００９】
請求項２に記載の発明によれば、請求項１に記載のスプライスユニットにおいて、コネクタパネルの下端を前方に張設して光ファイバコードを支持するための支持部を形成したことにより、光ファイバコードを自重による負担がかからないようにして破損を防止することができる。
【００１０】
【実施例】
本発明に係るスプライスユニットの実施例を図１〜図４の添付図面に基づいて説明する。
【００１１】
スプライスユニット１は矩形状の底板２ａと、左右側板２ｂと、背板２ｃとで前面と上面を開放した箱状にユニット本体２を形成し、上面は天板３がネジ４によって着脱可能になっている。ユニット本体２の底板２ａは多数の通気用スリット５が形成され、軽量化も図っている。また、左右両側板２ｂの前端にマウント部６が突設され、光配線盤７や通信機器等を収納するためのラック等にマウントして取り付けることができるよう夫々のマウント部６は２個の挿通孔８が穿設され、この挿通孔８に前面側から固定ネジ９を挿通させて光配線盤７のマウントアングル１０に螺着固定できる。
【００１２】
また、ユニット本体２の左右両側板２ｂの前端にはヒンジ部１１が設けられ、光ファイバコード（図示せず）同士を接続するための多数のコネクタ１２が設けられた２枚のコネクタパネル１３がヒンジ部１１によってユニット本体２に蝶着され、両開閉式に開閉自在に取り付けられている。ヒンジ部１１の構造は左右側板２ｂの上端を内側方向に折曲し、この折曲部と底板２ａとの間に上下両端を折曲形成したコネクタパネル１３に介在させ、左右側板２ｂの折曲部に上方から蝶番用ネジ１４を螺着し、コネクタパネル１３の上側折曲部に穿設したピン挿通孔１５に蝶番用ネジ１４の先端を挿通させるとともに、底板２ａの下方から蝶番用ネジ１４を螺着し、コネクタパネル１３の下側折曲部に穿設したピン挿通孔１５に蝶番用ネジ１４の先端を挿通させて回動可能にすることによりヒンジ部１１を構成している。
【００１３】
コネクタパネル１３の開放端にはラッチ１６が設けられている。ラッチ１６は押し操作するとコネクタパネル１３の裏面に突出した先端の径が大きくなり、引き操作すると先端の径が小さくなる構造になっており、コネクタパネル１３を閉塞するとユニット本体２の底板２ａの前端中央に立設した係合片１７の係合孔１８にラッチ１６の先端が挿通するため、その状態でラッチ１６を押し操作すると先端の径が係合孔１８より大きくなって係合してコネクタパネル１３を固定することができる。また、コネクタパネル１３を開放するにはラッチ１６を引き操作して係合片１７との係合を解除して行う。
【００１４】
コネクタパネル１３は下端が前方に張設され、光ファイバコードを支持するための支持部１９が形成されている。これによってコネクタ１２の前面側接続口に光ファイバコードを接続すると垂れ下がった部分が支持部１９に支持されるので自重による負荷がかからず、破損を防止することができる。コネクタ１２に接続した光ファイバコードは支持部１９の端部に形成されたコード結束用スリット孔２０に挿通して設けられた結束バンド２１で結束され、外側に出線される。
【００１５】
コネクタ１２の背面側接続口に接続する光ファイバコードはユニット本体２の左右側板２ｂに切り欠き形成された配線導入部２２からユニット本体２内へ導入される。この光ファイバコードをコネクタ１２の背面側接続口に接続するにはコネクタパネル１３のラッチ１６のロックを解除してコネクタパネル１３を開放した状態でユニット本体２の前面から行う。接続が完了したらコネクタパネル１３を閉塞し、ラッチ１６をロックしてコネクタパネル１３を固定する。尚、配線の際に発生した余長はユニット本体２の底板２ａ上に丸めて収納しておく。配線導入部２２の近傍にはコネクタパネル１３の支持部１９と同形状のコード結束用スリット孔２３が形成され、結束バンド２４を挿通させて光ファイバコードを結束して保持することができる。
【００１６】
尚、本実施例においてユニット本体への光ファイバコードの導入は左右側板に形成した配線導入部から行ったが、例えば、図５〜図７に示すように底板３２ａの後端に配線導入孔５２を穿設し、配線導入孔５２からユニット本体３２内へ光ケーブル（図示せず）を導入し、背板３２ｃに設けたケーブルクランプ５５とテンションメンバクランプ５６によって光ケーブルを固定し、光ケーブルから光ファイバ心線（図示せず）を引き出し、背板５２ｃに設けた融着トレイ５７内で光ファイバコードと接続することによってユニット本体３２に光ファイバコードを導入する等、スプライスユニットの構造について本発明の趣旨を逸脱しない範囲で適宜変更可能である。
【００１７】
【発明の効果】
以上説明したように、請求項１に記載の発明によれば、内部に光ファイバコードの余長を収納可能に箱状に形成したユニット本体を左右両側面に設けたマウント部によって光配線盤やラック等にマウント可能にし、ユニット本体の前面に光ファイバコード同士を接続するための多数のコネクタが設けられたコネクタパネルを有して成るスプライスユニットにおいて、コネクタパネルを両開閉式にユニット本体の前面側左右両端に開閉自在に蝶着したことにより、コネクタパネルの裏側の配線や余長処理をスプライスユニットの前面から行うことができるので作業性が良く、コネクタパネルは両開閉式なので開放した状態で前面側への突出量が少なく、作業スペースをより多く確保することができるし、作業時にコネクタパネルを開放してもユニット本体とコネクタパネルとの距離が短いので光ファイバコードに負担をかけることがないという効果がある。
【００１８】
請求項２に記載の発明によれば、請求項１に記載のスプライスユニットにおいて、コネクタパネルの下端を前方に張設して光ファイバコードを支持するための支持部を形成したことにより、光ファイバコードを自重による負担がかからないようにして破損を防止することができるという効果がある。
【図面の簡単な説明】
【図１】本発明に係るスプライスユニットの平面図である。
【図２】本発明に係るスプライスユニットをラックに搭載し、扉を取り外した状態の正面図である。
【図３】本発明に係るスプライスユニットの正面図である。
【図４】本発明に係るスプライスユニットの右側面図である。
【図５】本発明に係るスプライスユニットの変形実施例を示す平面図である。
【図６】本発明に係るスプライスユニットの変形実施例を示す正面図である。
【図７】本発明に係るスプライスユニットの変形実施例を示す右側面図である。
【符号の説明】
１…スプライスユニット
２…ユニット本体
２ａ…底板
２ｂ…左右側板
２ｃ…背板
３…天板
４…ネジ
５…通気用スリット
６…マウント部
７…光配線盤
８…挿通孔
９…固定ネジ
１０…マウントアングル
１１…ヒンジ部
１２…コネクタ
１３…コネクタパネル
１４…蝶番用ネジ
１５…ピン挿通孔
１６…ラッチ
１７…係合片
１８…係合孔
１９…支持部
２０…コード結束用スリット孔
２１…結束バンド
２２…配線導入部
２３…コード結束用スリット孔
２４…結束バンド
【図１】
2004219844.tif 000003
【図２】
2004219844.tif 000004
【図３】
2004219844.tif 000005
【図４】
2004219844.tif 000006
【図５】
2004219844.tif 000007
【図６】
2004219844.tif 000008
【図７】
2004219844.tif 000009